(57)【要約】【課題】コンテンツの再撮影が適正に行われなくなることを抑制することができる撮像装置および撮影レンズを提供する。【解決手段】撮像装置１００は、複数の撮影済みコンテンツと、各撮影済みコンテンツを撮影したときの撮影条件とを記録する記録部２１０と、複数の撮影済みコンテンツのうち何れかを選択した状態で再撮影指示を行うことが可能な第２のボタン３０１ｂと、第２のボタン３０１ｂに対して再撮影指示が行われたときの撮影条件が、選択された撮影済みコンテンツを撮影したときの撮影条件と異なる場合に警告を表示する表示部３０３とを有する。【選択図】図２
2020205478.tif 000002
【特許請求の範囲】
【請求項１】
複数の撮影済みコンテンツと、各撮影済みコンテンツを撮影したときの撮影条件とを記録する記録部と、
前記複数の撮影済みコンテンツのうち何れかを選択した状態で再撮影指示を行うことが可能な再撮影指示手段と、
前記再撮影指示手段に対して再撮影指示が行われたときの撮影条件が、選択された撮影済みコンテンツを撮影したときの撮影条件と異なる場合に警告を出力する制御を行う制御手段と、
を備えることを特徴とする撮像装置。
【請求項２】
撮影レンズを着脱可能なレンズ装着手段をさらに備え、
前記制御手段は、前記再撮影指示手段に対して再撮影指示が行われたときに前記レンズ装着手段に装着されている撮影レンズの種類が、前記選択された撮影済みコンテンツを撮影したときの撮影レンズの種類と異なる場合に前記警告を出力する制御を行うことを特徴とする請求項１に記載の撮像装置。
【請求項３】
撮影レンズを着脱可能なレンズ装着手段をさらに備え、
前記制御手段は、前記再撮影指示手段に対して再撮影指示が行われたときに前記レンズ装着手段に装着されている撮影レンズの焦点距離範囲が、前記選択された撮影済みコンテンツを撮影したときに装着されていた撮影レンズの焦点距離範囲を含んでいない場合に前記警告を出力する制御を行うことを特徴とする請求項１に記載の撮像装置。
【請求項４】
前記制御手段は、前記再撮影指示手段に対して再撮影指示が行われたときの焦点距離が、前記選択された撮影済みコンテンツを撮影開始したときの焦点距離と異なるときに前記警告を出力する制御を行うことを特徴とする請求項１に記載の撮像装置。
【請求項５】
撮影レンズを着脱可能なレンズ装着手段をさらに備え、
前記制御手段は、前記再撮影指示手段に対して再撮影指示が行われたときに前記レンズ装着手段に装着されている撮影レンズの焦点距離範囲が、前記選択された撮影済みコンテンツを撮影したときに使用された焦点距離範囲を含んでいない場合に前記警告を出力する制御を行うことを特徴とする請求項１に記載の撮像装置。
【請求項６】
表示部をさらに備え、
前記警告を示す情報は、前記表示部に表示されることを特徴とする請求項１乃至５のうち何れか１項に記載の撮像装置。
【請求項７】
前記警告を示す情報とともに前記選択された撮影済みコンテンツを撮影したときの撮影条件の情報が前記表示部に表示されることを特徴とする請求項６に記載の撮像装置。
【請求項８】
前記制御手段は、前記複数の撮影済みコンテンツのうち最後に撮影された撮影済みコンテンツが選択されている状態で前記再撮影指示が行われた場合、前記警告を発生せずに、撮影を開始する制御を行うことを特徴とする請求項１乃至７のうち何れか１項に記載の撮像装置。
【請求項９】
前記制御手段は、前記警告を出力している間に、前記再撮影指示が行われた場合、前記警告の出力を終了することを特徴とする請求項１乃至８のうち何れか１項に記載の撮像装置。
【請求項１０】
請求項１に記載の撮像装置に着脱可能である撮影レンズ。
【発明の詳細な説明】
【技術分野】
【０００１】
本発明は、コンテンツの再撮影を行うことが可能な撮像装置および撮影レンズに関する。
【背景技術】
【０００２】
近年、インターネット等の通信ネットワークを利用した動画配信サービスが普及しており、ユーザは、撮影した動画コンテンツを動画配信サービスにアップロードすることができる。動画コンテンツを撮影する際、ユーザは、動画の再撮影を複数回にわたって行うことがある。この場合、撮影された動画コンテンツの数が多くなり、動画コンテンツの管理が煩雑になる。関連する技術として、コンテンツオブジェクトを３次元空間に並べて表示する技術が特許文献１に提案されている。特許文献１の技術では、ｘ軸は所定時間範囲に区分され、ｙ軸はタグ情報の組み合わせに応じて異なるタイムラインに区分される。また、同一の所定時間範囲に含まれ且つ同一のタグ情報を有する複数のコンテンツオブジェクトはｚ軸に並べて表示される。
【先行技術文献】
【特許文献】
【０００３】
【特許文献１】特開２０１１−０７１８１３号公報
【発明の概要】
【発明が解決しようとする課題】
【０００４】
動画コンテンツの再撮影が行われる際、撮影条件が、再撮影の対象となる撮影済みの動画コンテンツが撮影されたときの撮影条件から変わることがある。例えば、同様のシーンの動画コンテンツの再撮影が行われる際、撮影済みの動画コンテンツを撮影したときの撮影レンズと異なった撮影レンズで動画コンテンツの再撮影が行われることがある。この場合、動画コンテンツの再撮影を適正に行うことができなくなるという問題が生じる。特許文献１の技術は、複数のコンテンツオブジェクトをｚ軸に並べて表示しているものの、上記の問題を解消するものではない。
【０００５】
本発明は、コンテンツの再撮影が適正に行われなくなることを抑制することができる撮像装置および撮影レンズを提供することを目的とする。
【課題を解決するための手段】
【０００６】
上記目的を達成するために、本発明の撮像装置は、複数の撮影済みコンテンツと、各撮影済みコンテンツを撮影したときの撮影条件とを記録する記録部と、前記複数の撮影済みコンテンツのうち何れかを選択した状態で再撮影指示を行うことが可能な再撮影指示手段と、前記再撮影指示手段に対して再撮影指示が行われたときの撮影条件が、選択された撮影済みコンテンツを撮影したときの撮影条件と異なる場合に警告を出力する制御を行う制御手段と、を備えることを特徴とする。
【発明の効果】
【０００７】
本発明によれば、コンテンツの再撮影が適正に行われなくなることを抑制することができる。
【図面の簡単な説明】
【０００８】
【図１】撮像装置の斜視図である。
【図２】撮像装置の内部構成を示すブロック図である。
【図３】可動部の分解斜視図である。
【図４】動画コンテンツの管理を行うユーザ操作画面を示す図である。
【図５】動画コンテンツの管理処理の流れを示すフローチャートである。
【図６】第１実施形態の警告処理の流れを示すフローチャートである。
【図７】第１実施形態の警告内容の一例を示す図である。
【図８】第２実施形態の警告処理の流れを示すフローチャートである。
【図９】第２実施形態の警告内容の一例を示す図である。
【図１０】第３実施形態の警告処理の流れを示すフローチャートである。
【図１１】第３実施形態の警告内容の一例を示す図である。
【図１２】第４実施形態の警告処理の流れを示すフローチャートである。
【図１３】第４実施形態の警告内容の一例を示す図である。
【発明を実施するための形態】
【０００９】
以下、本発明の実施形態について図面を参照しながら詳細に説明する。しかしながら、以下の各実施の形態に記載されている構成はあくまで例示に過ぎず、本発明の範囲は各実施形態に記載されている構成によって限定されることはない。
【００１０】
＜第１実施形態＞
以下、図面を参照して、第１実施形態について説明する。図１は、撮像装置の斜視図である。図１（ａ）は、レンズユニット５０を外した状態の撮像装置１０を背面側から見た斜視図である。図１（ｂ）は、レンズユニット５０を外した状態の撮像装置１０を第１の操作部３０１側から見た斜視図である。
【００１１】
撮像装置１０は、可動部２０と固定部３０とヒンジユニット４０とレンズユニット５０とを有する。可動部２０と固定部３０とは、ヒンジユニット４０によって、相対的に回転可能に接続されている。レンズユニット５０は、可動部２０に着脱可能に構成されている。従って、撮影レンズとしてのレンズユニット５０は、撮像装置１０に着脱可能である。レンズユニット５０と可動部２０とには、バヨネット式の取り付け構造が採用されている。レンズユニット５０にはバヨネット爪部５０７が形成され、可動部２０にはレンズマウント２１１が形成されている。レンズマウント２１１は、レンズ装着手段に対応する。可動部２０に対してレンズユニット５０を取り付ける場合には、まず、ユーザが、レンズマウント２１１の内側に形成されている切欠きに対してバヨネット爪部５０７の突出部を位置合わせする。そして、ユーザは、レンズユニット５０を可動部２０へ挿入し、光軸を中心にレンズユニット５０を回転させる。これにより、可動部２０に対してレンズユニット５０が装着される。
【００１２】
レンズマウント２１１からは、レンズ回転規制部２０４の一部である可動ピン２０４ａ（図３）が突出している。可動ピン２０４ａがレンズユニット５０側の凹部５０８に係合することで、レンズ回転規制部２０４は、可動部２０に対してレンズユニット５０が装着された状態から回転して外れてしまうことを規制する。レンズユニット５０を可動部２０から取り外す場合、ユーザは、第２の操作部２０２を操作する。第２の操作部２０２が操作されることで、可動ピン２０４ａが内側に退避して、レンズユニット５０のバヨネット爪部５０７とレンズマウント２１１との係合が解除される。これにより、レンズユニット５０を取り外すことができる。可動部２０の内部構造の詳細は後述する。レンズユニット５０が可動部２０に装着された状態では、図２に示されるように、可動部２０のインターフェース部２０５とレンズユニット５０のインターフェース部５０６とが電気的に接続されている。なお、図２において、インターフェース部は「ＩＦ」と表記される。インターフェース部２０５とインターフェース部５０６とが電気的に接続されている状態で、レンズユニット５０と可動部２０は相互通信を行うことが可能になる。
【００１３】
可動部２０は、ヒンジユニット４０に保持されている。ヒンジユニット４０は、主にチルト回転ヒンジ４０１とパン回転ヒンジ４０２とで構成される２軸ヒンジである。チルト回転ヒンジ４０１は、回転軸Ｔに対して回転可能に可動部２０を支持している。また、パン回転ヒンジ４０２は、回転軸Ｐに対して回転可能に固定部３０を支持している。従って、ユーザは、チルト回転ヒンジ４０１およびパン回転ヒンジ４０２を適宜操作することにより、固定部３０に対して、可動部２０およびレンズユニット５０を様々な姿勢に遷移させることができる。また、ヒンジユニット４０は、チルト回転ヒンジ４０１およびパン回転ヒンジ４０２が停止した状態で一定量の保持力を有する。該保持力は、レンズユニット５０および可動部２０の重量を受けた状態でヒンジユニット４０が停止姿勢を維持する静トルクよりも高くなるように設定される。従って、所定のポジションでは、ユーザが被写体に対してレンズユニット５０を向けてヒンジユニット４０の回転を停止させる操作を行うと、レンズユニット５０および可動部２０がそのままの姿勢を維持し続けることができる。また、可動部２０はアクセサリシュー２０８を有する。アクセサリシュー２０８は、撮像装置１０に外部アクセサリが取り付け可能な部位である。アクセサリシュー２０８には、例えば、ビデオライトや外付けマイク等のアクセサリを装着することができる。
【００１４】
固定部３０は表示部３０３を有する。表示部３０３は、ＬＣＤ（Ｌｉｑｕｉｄ  Ｃｒｙｓｔａｌ  Ｄｉｓｐｌａｙ）や有機ＥＬ（Ｅｌｅｃｔｒｏ−ｌｕｍｉｎｅｓｃｅｎｃｅ）ディスプレイ等によって構成される。表示部３０３は、撮影画像の表示や撮影条件を設定する画面等を表示する表示部である。以下、表示部３０３は、タッチパネルディスプレイであるものとして説明する。ただし、表示部３０３とは別途の入力機能が、撮像装置１０に設けられていてもよい。また、固定部３０は、把持部３０４を有する。把持部３０４は、固定部３０の端部に形成される。把持部３０４の表面は、弾性を有する材料によって構成され、例えばエチレンプロピレンジエンゴム（ＥＰＤＭ）やシリコンゴム等が採用される。
【００１５】
ユーザは、把持部３０４を両手のうち一方の手で保持したまま、他方の手でレンズユニット５０と可動部２０を自由に回転操作することができる。これにより、様々なアングルからの撮影を行うことができる。また、ユーザが把持部３０４を把持した状態で操作可能な位置に第１の操作部３０１が配置されている。第１の操作部３０１は、第１のボタン３０１ａ、第２のボタン３０１ｂおよびタッチパッド３０１ｃを含む。第１のボタン３０１ａは、撮影指示（テイク指示）を行うための部材である。第２のボタン３０１ｂは、再撮影指示（リテイク指示）を行うための部材である。タッチパッド３０１ｃは、スライド操作を行うための部材である。タッチパッド３０１ｃは、選択手段に対応する。
【００１６】
図２は、撮像装置１０の内部構成を示すブロック図である。最初に、レンズユニット５０について説明する。撮影光学系５０１は、複数のレンズや複数のレンズを保持するホルダ、ズーム機構、フォーカス機構、振れ補正機構等を有する。また、レンズユニット５０は、絞りユニット５０２を有する。絞りユニット５０２には、例えば、複数の薄い遮光シートを駆動させることによって、光軸を中心に形成される開口の大きさを可変にする光彩絞りユニットが採用される。レンズ駆動部５０３は、ズーム機構やフォーカス機構、振れ補正機構、アクチュエータを有する。該アクチュエータは、絞りユニット５０２等を駆動するために用いられる。これらの各機構に対して適用されるアクチュエータは、駆動に必要な推力や速度、ストローク、停止精度、消費電力、製造コスト等を考慮して適宜選定がされる。例えば、上記のアクチュエータとしては、ＤＣモータやステッピングモータ、ＵＳＭ（Ｕｌｔｒａｓｏｎｉｃ  Ｍｏｔｏｒ）等が採用される。
【００１７】
レンズ制御部５０４はモータドライバＩＣを含み、レンズ駆動部５０３の各種アクチュエータを駆動制御する。レンズユニット５０と可動部２０とが、インターフェース部５０６およびインターフェース部２０５によって電気的に接続されることで、レンズ制御部５０４と後述の中央制御部２０６とが相互に通信を行うことができる。レンズユニット５０は、さらに振れ検出部５０５を有する。振れ検出部５０５は、ジャイロセンサや加速度センサ等から構成される。振れ検出部５０５からの入力情報は、レンズ制御部５０４へ伝達され、インターフェース部５０６およびインターフェース部２０５を介してアナログ信号またはデジタルデータとして中央制御部２０６へ伝送される。
【００１８】
次に、可動部２０の内部構成について説明する。可動部２０は、撮像部２０１を有する。撮像部２０１は、ＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  ＭＯＳ）センサ等の光電変換素子およびローパスフィルタを有して構成される。例えば、ローパスフィルタは水晶からなり、赤外線カット処理が施される。ローパスフィルタは、赤外線の入射を防止するとともに、色モアレ等の発生を防止する。中央制御部２０６は、撮像装置１０の全体を制御するＣＰＵ（中央演算処理装置）を含む。中央制御部２０６は、制御手段に対応する。各実施形態の制御は、所定のメモリのプログラムをＣＰＵが実行することにより実現される。中央制御部２０６は、様々なコンテンツや情報の表示制御を行う表示制御部２０７を含む。表示制御部２０７は、表示制御手段に対応する。表示制御部２０７は、中央制御部２０６とは別途に設けられていてもよい。以下、各実施形態において、コンテンツは、動画コンテンツであるものとして説明する。ただし、コンテンツは、動画コンテンツには限定されない。例えば、コンテンツは、静止画や音声等のコンテンツであってもよい。
【００１９】
撮像部２０１から中央制御部２０６へ入力される電気信号は映像信号に変換された後、適宜、任意の映像データ（画像データ）に加工される。映像信号に対する加工は、画像切り出しおよび回転加工による電子防振動作も含む。中央制御部２０６は、撮影により取得された映像データおよび該映像データを撮影したときの撮影情報を、記録部２１０に記録する。撮影情報は、動画コンテンツを撮影したときの撮影条件を含む。例えば、撮影条件としては、レンズユニット５０の種類や焦点距離、焦点距離範囲、アクセサリの使用状況、レンズユニット５０の向きの情報等がある。撮影条件は、撮影に関する他の条件を含んでいてもよい。また、撮影情報には、他の情報（撮影日時や各種設定等の情報等）が含まれていてもよい。さらに、記録部２１０には、他の情報が記録されてもよい。
【００２０】
第２の操作部２０２は、レンズユニット５０を可動部２０から取り外す場合にユーザが操作する部材である。第２の操作部２０２は、複数のポジション間を遷移することができる。位置検出部２０３は、第２の操作部２０２のポジションを検出する。位置検出部２０３は、例えば、受光量に応じて出力信号が変化する透過型のフォトインタラプタ等により第２の操作部２０２のポジションを検出する。位置検出部２０３が検出した検出結果は中央制御部２０６へ伝送される。また、第２の操作部２０２に対する操作により、レンズ回転規制部２０４が動作する。レンズ回転規制部２０４の一部である可動ピン２０４ａは、レンズマウント２１１の表面から突出するポジションと、レンズマウント２１１の表面から退避するポジションとの間を往復動作することが可能である。
【００２１】
次に、固定部３０の内部構成について説明する。固定部３０は、第１の操作部３０１、電源部３０２、表示部３０３および把持部３０４を有する。第１の操作部３０１は、ユーザが把持部３０４を片手で把持した状態で操作可能な位置に配置される。電源部３０２には、例えば、アルカリ２次電池やリチウムイオン２次電池等を搭載したバッテリパックが採用される。また、電源部３０２は、ヒンジユニット４０の内部に配線されるワイヤハーネス等を経由して、中央制御部２０６と電気的に接続される。そして、撮像装置１０のシステムに対して電源が供給される。
【００２２】
次に、ヒンジユニット４０の内部構成について説明する。ヒンジユニット４０は、第１の角度検出部４０３および第２の角度検出部４０４を有する。第１の角度検出部４０３および第２の角度検出部４０４は、回転角度を検知する検知スイッチ等により構成される。第１の角度検出部４０３は、上述したチルト回転ヒンジ４０１の回転を検知することが可能である。第２の角度検出部４０４は、上述したパン回転ヒンジ４０２の回転を検知することができる。第１の角度検出部４０３および第２の角度検出部４０４は、固定部３０に対する可動部２０のパン方向およびチルト方向への回転を検知できる。第１の角度検出部４０３および第２の角度検出部４０４からの入力情報は、中央制御部２０６へ伝送される。
【００２３】
次に、可動部２０およびヒンジユニット４０の内部構造の詳細について説明する。図３は、可動部２０の分解斜視図である。レンズマウント２１１は、ビス２１５ａ、２１５ｂ、２１５ｃおよび２１５ｄによりベース部材２１２に固定される。ベース部材２１２は、金属ダイキャスト部品を有する。該金属ダイキャストには、例えば、マグネシウム合金ダイキャストやアルミ合金ダイキャスト等が採用される。そして、ベース部材２１２は、レンズ回転規制部２０４およびインターフェース部２０５を有する。
【００２４】
インターフェース部２０５は、複数の接点ピンと、コイルばね等の付勢部材と、これらを内包する樹脂ケースとを有する。複数の接点ピンが、樹脂ケースの開口部から突出している。接点ピンは不図示の付勢部材で裏側から常時付勢されている。さらに、接点ピンは、樹脂ケース表面から内部方向へスライド移動することができるように構成される。インターフェース部２０５には、フレキシブルプリント基板２１４が接続されている。接点ピンの突出位置によって、フレキシブルプリント基板２１４の内部に配線されている導電パターンと接点ピンとが電気的に導通する。接点ピンが、一定量、樹脂ケース表面から内部方向へ押し込まれると、接点ピンとフレキシブルプリント基板２１４の導電パターンとが電気的に導通する。
【００２５】
可動部２０は、さらに側面カバー２１３を有する。側面カバー２１３には、アクセサリシュー２０８が２本のビス２１６によって固定される。アクセサリシュー２０８に形成されているビス穴からビス２１７ａおよび２１７ｂが側面カバー２１３の逃げ穴を介してベース部材２１２に締結されることによって、側面カバー２１３はベース部材２１２に固定される。そして、ベース部材２１２に対して撮像部２０１がビス２２３ａ、２２３ｂ、２２３ｃによって固定される。撮像部２０１は、光電変換素子やローパスフィルタ等を有する。撮像部２０１は、光電変換素子と電気的に接続される硬質パッケージ、硬質パッケージを実装するプリント基板、プリント基板に実装される種々の電子部品および硬質パッケージを予め接着固定した金属プレートを有する。硬質パッケージには、例えばセラミック基材の多層基板が採用される。硬質パッケージの内部には、導体パターンが形成されている。そして、導体パターンの一部は表面に露出する電極端子に接続されており、該電極端子の一部と光電変換素子とはワイヤボンディング等の手法によって電気的に接続される。さらに硬質パッケージの電極端子は、種々の電子部品とともにリフロー半田付け法等によってプリント基板に実装される。上述した金属プレートは、撮像部２０１をベース部材２１２に取り付けるための部材である。金属プレートに対して硬質パッケージが位置合わせされた後、硬質パッケージの側面と金属プレートの端面とが接着固定される。接着固定に用いる接着剤には、例えば紫外線の照射によって光エネルギーに反応して硬化する紫外線硬化樹脂等が採用される。
【００２６】
以上の部品によって構成される撮像部２０１とベース部材２１２とは、その間にコイルばね２２２ａ、２２２ｂ、２２２ｃを挟み込んだ状態でビスにより固定される。従って、撮像部２０１は、ベース部材２１２に対して光軸方向に若干量変位可能に支持される。そしてビス２２３ａ、２２３ｂ、２２３ｃの締め込み量が調整されると、ベース部材２１２に対する撮像部２０１の撮像面の傾きが調整される。調整作業が完了すると、ビス２２３ａ、２２３ｂ、２２３ｃの緩みを防止するため、金属プレートと各ビスとが接着固定される。
【００２７】
上述したように、ヒンジユニット４０は、主にチルト回転ヒンジ４０１とパン回転ヒンジ４０２とで構成される。チルト回転ヒンジ４０１は、可動部２０に固定される２つのアーム部４０１ａ、４０１ｂを有する。なお、図３において、アーム部４０１ｂは、図示されていない。一方のアーム部４０１ａには、アーム部４０１ａに対して回転軸Ｔまわりに回転可能にホルダ２１８ａが支持される。そして他方のアーム部４０１ｂには、アーム部４０１ｂに対して回転軸Ｔまわりに回転可能にホルダ２１８ｂが支持される。ホルダ２１８ｂを保持するアーム部４０１ｂの内部は中空構造になっている。該中空構造にハーネス４０５が挿通されて、パン回転ヒンジ４０２の内部へ配線される。ハーネス４０５は、さらにパン回転ヒンジ４０２の内部から固定部３０の内部まで配線されており、第１の操作部３０１や電源部３０２、表示部３０３等と電気的に接続される。ホルダ２１８ａ、２１８ｂにはそれぞれビス締結穴が形成されている。ビス２２０ａ、２２０ｂによってホルダ２１８ａがベース部材２１２に固定される。また、ビス２２１ａ、２２１ｂによってホルダ２１８ｂがベース部材２１２に固定される。
【００２８】
シャーシ２２４には、複数のビス締結穴が形成されている。シャーシ２２４は、ビス２２５ａ、２２５ｂによって側面カバー２１３に固定される。そして、シャーシ２２４にはプリント基板２２６がビス２２８ａ、２２８ｂ、２２８ｃによってビス締結固定される。プリント基板２２６には種々の電子部品がリフロー半田付け法等によって実装される。プリント基板２２６は、中央制御部２０６、表示制御部２０７及び記録部２１０等を含む。さらに、プリント基板２２６には複数のコネクタが実装されている。フレキシブルプリント基板２１４やハーネス４０５は、プリント基板２２６に電気的に接続される。そして、フレキシブルプリント基板２２７の一端がプリント基板２２６に接続され、他端が撮像部２０１に搭載されているプリント基板に接続されると、撮像部２０１とプリント基板２２６とが電気的に接続される。
【００２９】
背面カバー２２９は、第２の操作部２０２を有する。第２の操作部２０２からはフレキシブルプリント基板２３０が延出している。フレキシブルプリント基板２３０が、プリント基板２２６に実装されているコネクタに接続された状態で、側面カバー２１３と背面カバー２２９とが係合する。背面カバー２２９には、側面カバー２１３に係合するための係合爪が複数箇所に形成されている。側面カバー２１３には、係合爪に対向する位置に係合爪が引っ掛かり取り付く溝部が形成されている。背面カバー２２９が側面カバー２１３に組み付けられると、係合爪が溝部に係合して、抜け止めとして作用する。なお、より確実にカバーの外れを低減させるために、適宜、係合部が接着固定されてもよい。
【００３０】
次に、動画コンテンツの撮影方法およびユーザ操作画面の表示方法について説明する。図４は、動画コンテンツの管理を行うユーザ操作画面を示す図である。該ユーザ操作画面は、表示部３０３に表示される画面である。表示部３０３には、Ｈ軸（第１の軸）方向に沿って、動画コンテンツを表す縮小画像（サムネイル画像）が複数表示されている。表示部３０３に表示されている動画コンテンツの縮小画像は、撮影済みの動画コンテンツ（撮影済みコンテンツ）を表す画像である。該画像は、撮影済みコンテンツを表す画像であれば、縮小画像には限定されない。Ｈ軸は、時間の流れを示す時間軸である。中央制御部２０６は、各動画コンテンツを、Ｈ軸方向において複数のグループに分割して管理する。図４の例では、表示部３０３のＨ軸方向において、グループＡ〜Ｅの縮小画像が表示されている。表示部３０３に表示される縮小画像のグループの数は、任意の数であってよい。
【００３１】
図４の例では、各グループのそれぞれについて、１または複数の縮小画像が、Ｖ軸（第２の軸）方向に沿って表示されている。Ｖ軸は、Ｈ軸と直交する方向の軸である。ユーザは、撮像装置１０に対して所定の操作を行うことで、縮小画像が属するグループを指定することができる。中央制御部２０６は、縮小画像が属するグループを指定する操作に応じて、動画コンテンツとグループとを関連付けることができる。
【００３２】
表示部３０３には、Ｈ軸方向に沿ってタイムライン３１０が表示されている。タイムライン３１０には、各グループのそれぞれに属する１または複数の縮小画像のうち、１つが位置している。第１の操作部３０１のタッチパッド３０１ｃは、該タッチパッド３０１ｃが延在している方向にスライド操作を行うことが可能である。タイムライン３１０は、カーソル３１１を含む。タッチパッド３０１ｃのスライド操作の方向は、タイムライン３１０上のカーソル３１１を移動させる方向に対応している。ユーザは、把持部３０４を片手で把持したまま、タッチパッド３０１ｃをスライド操作することで、タイムライン３１０上の各グループの縮小画像から何れか１つの縮小画像を選択することができる。
【００３３】
ユーザは、動画コンテンツを撮影する際、第１の操作部３０１に設けられた第１のボタン３０１ａまたは第２のボタン３０１ｂを押下操作することができる。第１のボタン３０１ａは、撮影指示を行うための撮影指示手段であり、第１のボタン３０１ａが押下操作されると、動画コンテンツの撮影（テイク）が開始される。中央制御部２０６は、第１のボタン３０１ａが押下操作されることにより取得された動画コンテンツを、既存のグループの何れにも属さない新たなグループの動画コンテンツとして分類する。中央制御部２０６は、新たに撮影された動画コンテンツを、撮影条件を含む撮影情報とともに記録部２１０に記録する。例えば、グループＡ〜Ｄの動画コンテンツが撮影済みの場合において、第１のボタン３０１ａが押下操作されたとする。この場合、中央制御部２０６は、新たなグループＥを生成し、新たに撮影された動画コンテンツをグループＥに属するコンテンツ１として管理する。そして、表示制御部２０７は、グループＥのコンテンツ１を表す縮小画像を表示する制御を行う。同じグループに属する動画コンテンツには、それぞれ異なる番号が付与される。例えば、グループＣに属する４つの動画コンテンツには、撮影順に、コンテンツ１〜４の番号が付与される。表示制御部２０７は、図４の例では、動画コンテンツに対応する縮小画像に、コンテンツの番号を含めている。
【００３４】
第２のボタン３０１ｂは、撮影済みの動画コンテンツの撮り直し等の再撮影を指示するための再撮影指示手段である。ユーザは、再撮影を行う場合、タッチパッド３０１ｃをスライド操作して、縮小画像を選択することで、再撮影を行う対象となる動画コンテンツを選択することができる。再撮影の対象となる動画コンテンツが選択された状態で、第２のボタン３０１ｂが押下操作されると、動画コンテンツの再撮影が行われる。中央制御部２０６は、第２のボタン３０１ｂが押下操作されたことにより取得された動画コンテンツを、再撮影により取得された動画コンテンツとして認識する。そして、中央制御部２０６は、再撮影を行う前に、動画コンテンツの選択がされていない場合には、再撮影により取得された動画コンテンツを、最後に撮影されたグループに分類する。中央制御部２０６は、再撮影された動画コンテンツを、撮影条件を含む撮影情報とともに記録部２１０に記録する。例えば、最後にグループＤのコンテンツ１が撮影されたという状況で、第２のボタン３０１ｂが押下操作されたとする。このとき、動画コンテンツの選択がされていなければ、中央制御部２０６は、再撮影された動画コンテンツを、最後に撮影されたグループＤに属するコンテンツ２として管理する。そして、表示制御部２０７は、表示部３０３にコンテンツ２の縮小画像を表示させる。
【００３５】
上述したように、ユーザがタッチパッド３０１ｃをスライド操作すると、タイムライン３１０のカーソル３１１はＨ軸方向に移動する。ユーザは、第２のボタン３０１ｂを押下操作する前に、タッチパッド３０１ｃを操作することで、再撮影の対象となる動画コンテンツの縮小画像を選択することができる。第２のボタン３０１ｂを押下する前に、動画コンテンツの縮小画像が選択された場合、中央制御部２０６は、再撮影により取得された動画コンテンツを、選択されたグループに分類する。例えば、ユーザが、タッチパッド３０１ｃを操作して、グループＣの縮小画像を選択した後に、第２のボタン３０１ｂを押下操作したとする。この場合、中央制御部２０６は、再撮影により取得された動画コンテンツを、グループＣに属するコンテンツ４として管理する。また、表示制御部２０７は、コンテンツ４を表す縮小画像を、表示部３０３のグループＣに表示する。
【００３６】
最終的には、中央制御部２０６は、各グループに属する複数の動画コンテンツの中からユーザが選んだ動画コンテンツをつなぎ合わせて、１つの動画コンテンツを生成する。生成された動画コンテンツは表示部３０３で再生可能である。図４の例の場合、中央制御部２０６は、タイムライン３１０上にある各グループの縮小画像に対応する動画コンテンツをつなぎ合わせて、１つの動画コンテンツを生成する。上述した例では、Ｈ軸が水平方向、Ｖ軸が垂直方向であるものとして説明したが、Ｈ軸の方向とＶ軸の方向とは異なる方向であれば、任意の方向であってよい。例えば、Ｈ軸の方向とＶ軸の方向とは、斜め方向や円弧に沿った方向等であってもよい。
【００３７】
次に、動画コンテンツの管理処理について説明する。図５は、動画コンテンツの管理処理の流れを示すフローチャートである。中央制御部２０６は、撮影指示がされたかを判定する（Ｓ１）。撮影指示がされたかは、第１のボタン３０１ａが押下操作されたかに基づいて判定される。Ｓ１でＹｅｓと判定された場合、撮像装置１０は動画コンテンツの撮影を開始する（Ｓ２）。撮影されたデータは、順次、記録部２１０に記録されていく。中央制御部２０６は、撮影終了指示が行われたかを判定する（Ｓ３）。第１のボタン３０１ａまたは第２のボタン３０１ｂが押下操作された場合、中央制御部２０６は、撮影終了指示が行われたと判定する。第１のボタン３０１ａと第２のボタン３０１ｂとの何れも押下操作されていない場合、中央制御部２０６は、撮影終了指示が行われていないと判定する。Ｓ３でＮｏと判定された場合、フローは、Ｓ３に戻り、動画コンテンツの撮影が継続する。Ｓ３でＹｅｓと判定された場合、動画コンテンツの撮影が終了し、中央制御部２０６は、撮影したデータを、何れのグループにも属しない新たなグループの動画コンテンツとして分類して管理を行う（Ｓ４）。中央制御部２０６は、撮影時の撮影条件を含む撮影情報とともに、取得した動画コンテンツを記録部２１０に記録する。そして、処理は、終了する。
【００３８】
Ｓ１でＮｏと判定された場合、中央制御部２０６は、再撮影指示が行われたかを判定する（Ｓ５）。第２のボタン３０１ｂが押下操作された場合、中央制御部２０６は、再撮影指示が行われたと判定する。第２のボタン３０１ｂが押下操作されていない場合、中央制御部２０６は、再撮影指示が行われていないと判定する。Ｓ５でＮｏと判定された場合、フローは、Ｓ１に戻る。Ｓ５でＹｅｓと判定された場合、中央制御部２０６は、第２のボタン３０１ｂが押下される前に、動画コンテンツの縮小画像が選択済みであるかを判定する（Ｓ６）。
【００３９】
Ｓ６でＹｅｓと判定された場合、撮像装置１０は、選択された縮小画像に対応する動画コンテンツの再撮影を開始する（Ｓ７）。再撮影されたデータは、順次、記録部２１０に記録されていく。そして、中央制御部２０６は、撮影終了指示が行われたかを判定する（Ｓ８）。撮影終了指示が行われたかの判定は、Ｓ３と同様、第１のボタン３０１ａまたは第２のボタン３０１ｂが押下操作されかに基づいて行われる。Ｓ８でＮｏと判定された場合、フローは、Ｓ８に戻る。Ｓ８でＹｅｓと判定された場合、中央制御部２０６は、撮影されたデータを動画コンテンツとして、事前に選択された動画コンテンツが属するグループに分類して管理する（Ｓ９）。中央制御部２０６は、撮影時の撮影条件を含む撮影情報とともに、動画コンテンツを記録部２１０に記録する。そして、処理は、終了する。
【００４０】
Ｓ６でＮｏと判定された場合、撮像装置１０は、最後に撮影された動画コンテンツが属するグループとして、動画の再撮影を開始する（Ｓ１０）。再撮影されたデータは、順次、記録部２１０に記録されていく。そして、中央制御部２０６は、撮影終了指示が行われたかを判定する（Ｓ１１）。撮影終了指示が行われたかの判定は、Ｓ３およびＳ８と同様、第１のボタン３０１ａまたは第２のボタン３０１ｂが押下されかに基づいて行われる。Ｓ１１でＮｏと判定された場合、フローは、Ｓ１１に戻る。Ｓ１１でＹｅｓと判定された場合、中央制御部２０６は、撮影されたデータを動画コンテンツとして、最後に撮影された動画コンテンツが属するグループに分類して管理する（Ｓ１２）。中央制御部２０６は、撮影時の撮影条件を含む撮影情報とともに、動画コンテンツを記録部２１０に記録する。そして、処理は、終了する。
【００４１】
次に、第１実施形態の警告処理について説明する。図６は、第１実施形態の警告処理の流れを示すフローチャートである。中央制御部２０６は、再撮影指示が行われたかを判定する（Ｓ１０１）。上述したように、再撮影指示が行われたかは、第２のボタン３０１ｂが押下操作されたかに基づいて判定される。Ｓ１０１でＮｏと判定された場合、フローは、Ｓ１０１に戻る。Ｓ１０１でＹｅｓと判定された場合、中央制御部２０６は、第２のボタン３０１ｂが押下操作される前に、動画コンテンツが選択済みであるかを判定する（Ｓ１０２）。Ｓ１０２でＹｅｓと判定された場合、中央制御部２０６は、最後に撮影された動画コンテンツ（最後の動画コンテンツ）が選択されているかを判定する（Ｓ１０３）。上述したように、タッチパッド３０１ｃを用いて、動画コンテンツに対応する縮小画像を選択することにより、動画コンテンツを選択することができる。
【００４２】
Ｓ１０３でＮｏと判定された場合、中央制御部２０６は、Ｓ１０２で選択された動画コンテンツの撮影情報を記録部２１０から読み出す。上述したように、撮影情報は、動画コンテンツを撮影したときの撮影条件の情報を含む。第１実施形態では、撮影条件は、レンズユニット５０の種類であるものとする。中央制御部２０６は、Ｓ１０２で選択された動画コンテンツを撮影したときのレンズユニット５０の種類が、レンズマウント２１１に現在装着されているレンズユニット５０の種類と同じであるかを判定する（Ｓ１０４）。
【００４３】
Ｓ１０４でＮｏと判定された場合、表示制御部２０７は、表示部３０３に警告を表示させて、警告表示を開始する（Ｓ１０５）。図７は、表示部３０３に表示される警告内容の一例を示す図である。選択された動画コンテンツを撮影したときに装着されていたレンズユニット５０の種類の名称が「ＺＯＯＯＭ  ＬＥＮＳ  １」であるとする。この場合、表示制御部２０７は、表示部３０３に、選択された動画コンテンツを撮影したときに装着されていたレンズユニット５０の種類を示す情報「前回：ＺＯＯＯＭ  ＬＥＮＳ  １」を表示させる。また、レンズマウント２１１に現在装着されているレンズユニット５０の種類の名称が、「ＺＯＯＯＭ  ＬＥＮＳ  ３」であるとする。この場合、表示制御部２０７は、表示部３０３に、現在装着されているレンズユニット５０の種類を示す情報「現在：ＺＯＯＯＭ  ＬＥＮＳ  ３」を表示させる。
【００４４】
そして、表示制御部２０７は、レンズユニット５０の名称とともにレンズユニット５０の種類が異なっていることを示す警告を表示部３０３に表示させる。図７の例では、「レンズが異なります」という警告が表示部３０３に表示されている。図７の例に示される警告が表示部３０３に表示されることで、ユーザは、現在装着されているレンズユニット５０の種類が、再撮影の対象となる動画コンテンツを撮影したときに装着されていたレンズユニット５０の種類と異なることを確認できる。また、ユーザは、選択された動画コンテンツを撮影したときに装着されていたレンズユニット５０の種類を示す情報も確認できる。レンズユニット５０の種類を確認したユーザは、選択された動画コンテンツを撮影したときに装着されていたレンズユニット５０に交換することができる。
【００４５】
中央制御部２０６は、再撮影指示が行われたかを判定する（Ｓ１０６）。Ｓ１０６では、再撮影指示が行われたかの判定は、第１のボタン３０１ａまたは第２のボタン３０１ｂが押下操作されたかに基づいて行われる。第１のボタン３０１ａと第２のボタン３０１ｂとの何れのボタンも押下操作されていない場合には、中央制御部２０６は、再撮影指示が行われていないと判定する。この場合、中央制御部２０６は、Ｓ１０２で選択された動画コンテンツを撮影したときに装着されていたレンズユニット５０に交換されたかを判定する（Ｓ１０７）。
【００４６】
上述したように、ユーザは、レンズユニット５０が異なっており、再撮影の対象となる動画コンテンツを撮影したときに装着されていたレンズユニット５０の種類を確認できる。従って、ユーザは、現在装着されているレンズユニット５０をレンズマウント１１１から取り外して、再撮影の対象となる動画コンテンツを撮影したときに装着されていたレンズユニット５０と同じ種類のレンズユニット５０に交換することができる。表示制御部２０７は、Ｓ１０２で選択された動画コンテンツを撮影したときに装着されていたレンズユニット５０に交換されたことを認識した場合、表示部３０３に表示されている警告の表示を終了させる（Ｓ１０８）。そして、フローは、Ｓ１０１に移行する。一方、Ｓ１０７でＮｏと判定された場合、Ｓ１０２で選択された動画コンテンツを撮影したときに装着されていたレンズユニット５０に交換されていないため、フローはＳ１０６に戻る。この場合、表示制御部２０７は、表示部３０３に警告を表示し続ける。
【００４７】
Ｓ１０６でＹｅｓと判定された場合、表示制御部２０７は、表示部３０３に表示されている警告の表示を終了させる（Ｓ１０９）。この場合、Ｓ１０２で選択された動画コンテンツを撮影したときに装着されていたレンズユニット５０に交換されていないにもかかわらず、警告の表示が終了する。Ｓ１０９の処理は、表示部３０３に警告が表示されているときに、第１のボタン３０１ａまたは第２のボタン３０１ｂが押下操作された場合に行われる。この場合、ユーザは、Ｓ１０２で選択された動画コンテンツを撮影したときに装着されていたレンズユニット５０とは、異なる種類のレンズユニット５０に意図的に交換した可能性がある。そこで、表示制御部２０７は、表示部３０３に表示されている警告の表示を終了させる。これにより、表示部３０３に表示されていた警告が表示されなくなり、ユーザにとって不要な警告の表示を終了させることができる。Ｓ１０９の処理の後、中央制御部２０６は、動画コンテンツの撮影を開始する制御を行う。これにより、撮像装置１０は再撮影を開始する（Ｓ１１０）。そして、警告処理は終了する。
【００４８】
Ｓ１０２でＮｏと判定された場合、動画コンテンツの選択がされていないため、警告が表示されることなく、フローはＳ１１０に進み、撮像装置１０は再撮影を開始する。Ｓ１０３でＹｅｓと判定された場合も、警告が表示されることなく、フローはＳ１１０に進み、撮像装置１０は再撮影を開始する。つまり、最後に撮影された動画コンテンツが選択されている状態で、第２のボタン３０１ｂが押下操作された場合、レンズユニット５０の種類が異なっていたとしても、警告が表示されることなく、撮像装置１０は再撮影を開始する。Ｓ１０３でＹｅｓと判定される場合は、第２のボタン３０１ｂが押下操作されて再撮影指示が入力された場合であり、且つ最後の動画コンテンツが選択されている場合である。この場合、レンズユニット５０の種類が異なっていたとしても、ユーザが、最後の動画コンテンツを撮影したときのレンズユニット５０を、意図的に交換した可能性が高い。そこで、Ｓ１０３でＹｅｓと判定された場合、所定の警告条件を満たしている状態（Ｓ１０４でＮｏと判定される状態）であっても、表示部３０３に警告が表示されることなく、撮像装置１０は再撮影を開始する。
【００４９】
従って、第１実施形態では、選択された撮影済みの動画コンテンツの撮影を行ったときのレンズユニット５０の種類と現在装着されているレンズユニット５０の種類とが異なる場合、表示部３０３に警告が表示される。これにより、ユーザは、レンズユニット５０の種類が異なっていることを確認することができる。警告を確認したユーザが、現在装着されているレンズユニット５０と同じ種類のレンズユニット５０に交換することで、動画コンテンツの再撮影を適正に行うことができる。
【００５０】
＜第２実施形態＞
次に、第２実施形態について説明する。動画コンテンツの管理処理は、第１実施形態と同様であるため、説明を省略する。図８は、第２実施形態の警告処理の流れを示すフローチャートである。中央制御部２０６は、再撮影指示が行われたかを判定する（Ｓ２０１）。Ｓ２０１でＮｏと判定された場合、フローは、Ｓ２０１に戻る。Ｓ２０１でＹｅｓと判定された場合、中央制御部２０６は、第２のボタン３０１ｂが押下操作される前に、動画コンテンツが選択済みであるかを判定する（Ｓ２０２）。Ｓ２０２でＹｅｓと判定された場合、中央制御部２０６は、最後に撮影された動画コンテンツが選択されているかを判定する（Ｓ２０３）。
【００５１】
Ｓ２０３でＮｏと判定された場合、中央制御部２０６は、Ｓ２０２で選択された動画コンテンツの撮影情報を記録部２１０から読み出す。上述したように、撮影情報は、動画コンテンツを撮影したときの撮影条件の情報を含む。第２実施形態では、撮影条件は、レンズユニット５０の焦点距離範囲であるものとする。中央制御部２０６は、現在装着されているレンズユニット５０で使用可能な焦点距離範囲が、Ｓ２０２で選択された動画コンテンツを撮影したときに装着されていたレンズユニット５０で使用可能な焦点距離範囲を含んでいるかを判定する（Ｓ２０４）。
【００５２】
Ｓ２０４でＮｏと判定された場合、表示制御部２０７は、表示部３０３に警告を表示させて、警告表示を開始する（Ｓ２０５）。図９は、表示部３０３に表示される警告内容の一例を示す図である。選択された動画コンテンツを撮影したときに装着されていたレンズユニット５０で使用可能な焦点距離範囲が「１８ｍｍから１５０ｍｍ」であるとする。この場合、表示制御部２０７は、表示部３０３に、選択された動画コンテンツを撮影したときに装着されていたレンズユニット５０で使用可能な焦点距離範囲情報「前回：１８ｍｍ―１５０ｍｍ」を表示させる。また、レンズマウント２１１に現在装着されているレンズユニット５０で使用可能な焦点距離範囲が「１５ｍｍから４５ｍｍ」であるとする。この場合、表示制御部２０７は、表示部３０３に、現在装着されているレンズユニット５０で使用可能な焦点距離範囲情報「現在：１５ｍｍ−４５ｍｍ」を表示させる。
【００５３】
そして、表示制御部２０７は、レンズユニット５０の焦点距離範囲情報とともに使用可能な焦点距離範囲を包含していないことを示す警告を表示部３０３に表示させる。図９の例では、「使用可能な焦点距離を包含していません」という警告が表示部３０３に表示されている。これにより、ユーザは、現在装着されているレンズユニット５０は、再撮影の対象となる動画コンテンツを撮影したときに装着されていたレンズユニット５０で調整可能な焦点距離範囲を含んでいないことを認識できる。また、表示部３０３には、選択された動画コンテンツを撮影したときに装着されていたレンズユニット５０の焦点距離範囲情報が表示される。焦点距離範囲情報を確認したユーザは、選択された動画コンテンツを撮影したときに装着されていたレンズユニット５０の焦点距離範囲を包含するレンズユニット５０に交換することができる。
【００５４】
中央制御部２０６は、再撮影指示が行われたかを判定する（Ｓ２０６）。Ｓ２０６でＮｏと判定された場合、中央制御部２０６は、Ｓ２０２で選択された動画コンテンツを撮影したときに装着されていたレンズユニット５０で使用可能な焦点距離範囲を含むレンズユニット５０に交換されたかを判定する（Ｓ２０７）。Ｓ２０７でＮｏと判定された場合、フローは、Ｓ２０６に戻る。Ｓ２０７でＹｅｓと判定された場合、表示制御部２０７は、表示部３０３に表示されている警告の表示を終了させる（Ｓ２０８）。そして、フローは、Ｓ２０１に移行する。一方、Ｓ２０７でＮｏと判定された場合、フローはＳ２０６に戻り、表示制御部２０７は、表示部３０３に警告を表示し続ける。
【００５５】
Ｓ２０６でＹｅｓと判定された場合、表示制御部２０７は、表示部３０３に表示されている警告の表示を終了させる（Ｓ２０９）。これにより、Ｓ１０９と同様に、ユーザが意図的にレンズユニット５０を交換している場合に、不要な警告が表示されなくなる。そして、撮像装置１０は再撮影を開始する（Ｓ２１０）。Ｓ２１０の処理が行われた後、警告処理は終了する。Ｓ２０２でＮｏと判定された場合、警告が表示されることなく、フローはＳ２１０に進む。同様に、Ｓ２０３でＮｏと判定された場合、フローはＳ２１０に進み、警告が表示されることなく、再撮影が開始される。これにより、ユーザが意図的にレンズユニット５０を交換している場合に、不要な警告が表示されなくなる。
【００５６】
従って、第２実施形態では、現在装着されているレンズユニット５０の焦点距離範囲が、選択された撮影済みの動画コンテンツが撮影されたときに装着されていたレンズユニット５０で使用可能な焦点距離範囲を含んでいない場合に、警告が表示される。警告を確認したユーザは、選択された撮影済みの動画コンテンツが撮影されたときに装着されていたレンズユニット５０で使用可能な焦点距離範囲を含むレンズユニット５０に交換できる。これにより、動画コンテンツの再撮影が適正に行われなくなることを抑制することができる。
【００５７】
＜第３実施形態＞
次に、第３実施形態について説明する。動画コンテンツの管理処理は、第１実施形態および第２実施形態と同様であるため、説明を省略する。図１０は、第３実施形態の警告処理の流れを示すフローチャートである。中央制御部２０６は、再撮影指示が行われたかを判定する（Ｓ３０１）。Ｓ３０１でＮｏと判定された場合、フローは、Ｓ３０１に戻る。Ｓ３０１でＹｅｓと判定された場合、中央制御部２０６は、第２のボタン３０１ｂが押下操作される前に、動画コンテンツが選択済みであるかを判定する（Ｓ３０２）。Ｓ３０２でＹｅｓと判定された場合、中央制御部２０６は、最後に撮影された動画コンテンツが選択されているかを判定する（Ｓ３０３）。
【００５８】
Ｓ３０３でＮｏと判定された場合、中央制御部２０６は、Ｓ３０２で選択された動画コンテンツの撮影情報を記録部２１０から読み出す。上述したように、撮影情報は、焦点距離情報を含む。第３実施形態では、撮影条件は、焦点距離であるものとする。中央制御部２０６は、レンズユニット５０の現在の焦点距離が、Ｓ３０２で選択された動画コンテンツを撮影したときの焦点距離（該動画コンテンツの撮影開始をしたときの焦点距離）と同じであるかを判定する（Ｓ３０４）。Ｓ３０４でＮｏと判定された場合、表示制御部２０７は、表示部３０３に警告を表示させて、警告表示を開始する（Ｓ３０５）。
【００５９】
図１１は、表示部３０３に表示される警告内容の一例を示す図である。選択された動画コンテンツを撮影したときの焦点距離が「３０ｍｍ」であるとする。この場合、表示制御部２０７は、表示部３０３に、選択された動画コンテンツを撮影したときの焦点距離情報「前回：３０ｍ」を表示させる。また、レンズユニット５０の現在の焦点距離が「１８ｍｍ」であるとする。この場合、表示制御部２０７は、表示部３０３に、レンズユニット５０の現在の焦点距離情報「現在：１８ｍｍ」を表示させる。
【００６０】
そして、表示制御部２０７は、レンズユニット５０の焦点距離情報とともに焦点距離が異なることを示す警告を表示部３０３に表示させる。図１１の例では、「焦点距離が異なります」という警告が表示部３０３に表示されている。これにより、ユーザは、レンズユニット５０の現在の焦点距離が、選択された動画コンテンツを撮影したときの焦点距離と異なることを認識できる。また、表示部３０３には、選択された動画コンテンツを撮影したときのレンズユニット５０の焦点距離情報が表示される。表示部３０３に表示されている表示内容を確認したユーザは、レンズユニット５０の焦点距離を、選択された動画コンテンツを撮影したときのレンズユニット５０の焦点距離に合わせる調整を行うことができる。
【００６１】
中央制御部２０６は、再撮影指示が行われたかを判定する（Ｓ３０６）。Ｓ３０６でＮｏと判定された場合、中央制御部２０６は、焦点距離の調整がされて、焦点距離が同じになったかを判定する（Ｓ３０７）。つまり、中央制御部２０６は、現在のレンズユニット５０の焦点距離が、選択された動画コンテンツを撮影したときのレンズユニット５０の焦点距離と一致したかを判定する。Ｓ３０７でＮｏと判定された場合、フローは、Ｓ３０６に戻る。Ｓ３０７でＹｅｓと判定された場合、表示制御部２０７は、表示部３０３に表示されている警告の表示を終了させる（Ｓ３０８）。そして、フローは、Ｓ３０１に移行する。一方、Ｓ３０７でＮｏと判定された場合、フローはＳ３０６に戻る。
【００６２】
Ｓ３０６でＹｅｓと判定された場合、表示制御部２０７は、表示部３０３に表示されている警告の表示を終了させる（Ｓ３０９）。これにより、ユーザが意図的に焦点距離の調整を行わなかったような場合に、不要な警告が表示されなくなる。そして、撮像装置１０は撮影を開始する（Ｓ３１０）。Ｓ３１０の処理が行われた後、警告処理は終了する。Ｓ３０２でＮｏと判定された場合、警告が表示されることなく、フローはＳ３１０に進む。同様に、Ｓ３０３でＮｏと判定された場合、フローはＳ２１０に進み、警告が表示されることなく、再撮影が開始される。これにより、ユーザが意図的に焦点距離の調整を行わなかった場合に、不要な警告が表示されなくなる。
【００６３】
従って、第３実施形態では、選択された撮影済みの動画コンテンツが撮影されたときのレンズユニット５０の焦点距離が、現在装着されているレンズユニット５０の焦点距離と一致していないときに、警告が表示される。警告を確認したユーザは、レンズユニット５０の焦点距離を調整する。これにより、選択された撮影済みの動画コンテンツが撮影されたときと同じ焦点距離で動画コンテンツの再撮影を行うことができ、動画コンテンツの再撮影が適正に行われなくなることを抑制することができる。
【００６４】
＜第４実施形態＞
次に、第４実施形態について説明する。動画コンテンツの管理処理は、第１実施形態乃至第３実施形態と同様であるため、説明を省略する。図１２は、第４実施形態の警告処理の流れを示すフローチャートである。中央制御部２０６は、再撮影指示が行われたかを判定する（Ｓ４０１）。Ｓ４０１でＮｏと判定された場合、フローは、Ｓ４０１に戻る。Ｓ４０１でＹｅｓと判定された場合、中央制御部２０６は、第２のボタン３０１ｂが押下操作される前に、動画コンテンツの選択がされていたかを判定する（Ｓ４０２）。Ｓ４０２でＹｅｓと判定された場合、中央制御部２０６は、最後に撮影された動画コンテンツが選択されているかを判定する（Ｓ４０３）。
【００６５】
Ｓ４０３でＮｏと判定された場合、中央制御部２０６は、Ｓ４０２で選択された動画コンテンツの撮影情報を記録部２１０から読み出す。上述したように、撮影情報は、焦点距離範囲情報を含む。第４実施形態では、撮影条件は、焦点距離範囲であるものとする。中央制御部２０６は、現在レンズマウント２１１に装着されているレンズユニット５０で使用可能な焦点距離範囲が、Ｓ２０２で選択された動画コンテンツを撮影したときに使用された焦点距離範囲を含んでいるかを判定する（Ｓ４０４）。Ｓ４０４の判定は、第２実施形態のＳ２０４の判定と異なる。
【００６６】
Ｓ４０４でＮｏと判定された場合、表示制御部２０７は、表示部３０３に警告を表示させて、警告表示を開始する（Ｓ４０５）。図１３は、第４実施形態における表示部３０３に表示される警告内容の一例を示す図である。選択された動画コンテンツを撮影したときに使用された焦点距離範囲が「３０ｍｍから１２０ｍｍ」であるとする。この場合、表示制御部２０７は、表示部３０３に、選択された動画コンテンツを撮影したときに使用された焦点距離範囲情報「前回：３０ｍｍ―１２０ｍｍ」を表示させる。また、現在装着されているレンズユニット５０で使用可能な焦点距離範囲が「１５ｍｍから４５ｍｍ」であるとする。この場合、表示制御部２０７は、表示部３０３に、現在装着されているレンズユニット５０で使用可能な焦点距離範囲情報「現在：１５ｍｍ−４５ｍｍ」を表示させる。
【００６７】
そして、表示制御部２０７は、レンズユニット５０の焦点距離範囲情報とともに使用可能な焦点距離範囲を包含していないことを示す警告を表示部３０３に表示させる。図１３の例では、「使用可能な焦点距離を包含していません」という警告が表示部３０３に表示されている。これにより、ユーザは、現在装着されているレンズユニット５０は、選択された撮影済みの動画コンテンツを撮影したときに使用された焦点距離範囲を含んでいないことを確認できる。また、表示部３０３には、選択された動画コンテンツを撮影したときに使用された焦点距離範囲情報が表示される。表示部３０３に表示されている警告を確認したユーザは、レンズマウント２１１に装着されていたレンズユニット５０を取り外す。そして、ユーザは、選択された撮影済みの動画コンテンツを撮影したときに使用された焦点距離範囲を含むレンズユニット５０に交換できる。
【００６８】
中央制御部２０６は、再撮影指示が行われたかを判定する（Ｓ４０６）。Ｓ４０６でＮｏと判定された場合、中央制御部２０６は、Ｓ４０２で選択された動画コンテンツを撮影したときに使用された焦点距離範囲を含むレンズユニット５０に交換されたかを判定する（Ｓ４０７）。Ｓ４０７でＮｏと判定された場合、フローは、Ｓ４０６に戻る。Ｓ４０７でＹｅｓと判定された場合、表示制御部２０７は、表示部３０３に表示されている警告の表示を終了させる（Ｓ４０８）。そして、フローは、Ｓ４０１に移行する。一方、Ｓ４０７でＮｏと判定された場合、フローはＳ４０６に戻り、表示制御部２０７は、表示部３０３に警告を表示し続ける。
【００６９】
Ｓ４０６でＹｅｓと判定された場合、表示制御部２０７は、表示部３０３に表示されている警告の表示を終了させる（Ｓ４０９）。これにより、Ｓ１０９と同様に、ユーザが意図的にレンズユニット５０を交換している場合に、不要な警告が表示されなくなる。そして、撮像装置１０は撮影を開始する（Ｓ４１０）。Ｓ４１０の処理が行われた後、警告処理は終了する。Ｓ４０２でＮｏと判定された場合、警告が表示されることなく、フローはＳ４１０に進む。同様に、Ｓ４０３でＮｏと判定された場合、フローはＳ４１０に進み、警告が表示されることなく、再撮影が開始される。これにより、ユーザが意図的に焦点距離の調整を行わなかった場合に、不要な警告が表示されなくなる。
【００７０】
従って、第４実施形態では、現在装着されているレンズユニット５０の焦点距離範囲が、選択された撮影済みの動画コンテンツが撮影されたときに使用された焦点距離範囲を含んでいない場合には、警告が表示される。警告を確認したユーザは、装着されているレンズユニット５０を、選択された撮影済みの動画コンテンツが撮影されたときに使用された焦点距離範囲を含むレンズユニット５０に交換できる。これにより、動画コンテンツの再撮影が適正に行われなくなることを抑制することができる。
【００７１】
＜その他＞
上述した各実施形態では、警告を出力する方法として、表示制御部２０７が、表示部３０３に警告を表示する方法を説明した。上述した各実施形態における警告の表示内容は一例であり、表示内容は適宜変更可能である。警告を出力する方法は、画面表示以外であってもよい。例えば、撮像装置１０がスピーカ等の音声出力手段を有する場合、音声出力手段が、警告を音声で出力してもよい。また、撮像装置１０がＬＥＤのような照明装置を有する場合、照明装置の点灯により警告の出力が行われてもよい。第１実施形態乃至第４実施形態で説明した各警告処理は、単独で行われてもよいし、組み合わせて行われてもよい。
【００７２】
以上、本発明の好ましい実施の形態について説明したが、本発明は上述した各実施の形態に限定されず、その要旨の範囲内で種々の変形及び変更が可能である。本発明は、上述の各実施の形態の１以上の機能を実現するプログラムを、ネットワークや記録媒体を介してシステムや装置に供給し、そのシステム又は装置のコンピュータの１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００７３】
１０      撮像装置
５０      レンズユニット
２０６    中央制御部
２０７    表示制御部
２１０    記録部
２１１    レンズマウント
３０１ａ  第１のボタン
３０１ｂ  第２のボタン
３０１ｃ  タッチパッド
３０３    表示部
【図１】
2020205478.tif 000003
【図２】
2020205478.tif 000004
【図３】
2020205478.tif 000005
【図４】
2020205478.tif 000006
【図５】
2020205478.tif 000007
【図６】
2020205478.tif 000008
【図７】
2020205478.tif 000009
【図８】
2020205478.tif 000010
【図９】
2020205478.tif 000011
【図１０】
2020205478.tif 000012
【図１１】
2020205478.tif 000013
【図１２】
2020205478.tif 000014
【図１３】
2020205478.tif 000015